(57)【要約】【課題】  墓石（積石）において地震等による倒壊を防ぐと共に設置を容易にする。【解決手段】  竿石１１０と第１固定部２１とを係合するネジ２１ｂ（第１係合手段）と、カロート１７１と第２固定部２２とを係合する貫通部材２４（第２係合手段）と、第１固定部２１と第２固定部２２とを係合する結合突起部２２ｄ及び結合孔２３ａ（第３係合手段）とを備える構成としてある。【選択図】      図４
2007016384.tif 000002
【特許請求の範囲】
【請求項１】
第１固定部及び第２固定部を有し、第１の石材及び第２の石材を含む積石を固定する積石固定具であって、
前記第１の石材と前記第１固定部とを係合する第１係合手段と、
前記第２の石材と前記第２固定部とを係合する第２係合手段と、
前記第１固定部と前記第２固定部とを係合する第３係合手段と
を備えることを特徴とする積石固定具。
【請求項２】
前記第１係合手段は、前記第１の石材に穿設される装着孔と前記第１固定部とを係合することを特徴とする請求項１記載の積石固定具。
【請求項３】
前記第１係合手段は、前記第１固定部に穿設される凸部材挿通孔を挿通し、前記装着孔が内周面に有する凹部に係合する凸部材であることを特徴とする請求項２記載の積石固定具。
【請求項４】
前記第２係合手段は、前記第２の石材に穿設される装着孔と前記第２固定部とを係合することを特徴とする請求項１から請求項３のいずれか１項記載の積石固定具。
【請求項５】
前記第２係合手段は、前記第２固定部に穿設される凸部材挿通孔を挿通し、前記装着孔が内周面に有する凹部に係合する凸部材であることを特徴とする請求項４記載の積石固定具。
【請求項６】
前記第２係合手段は、少なくとも１つの前記第２の石材を貫通し、一端が前記第２固定部に係合し、もう一端がいずれかの前記第２の石材に係合する貫通部材であることを特徴とする請求項１から請求項３のいずれか１項記載の積石固定具。
【請求項７】
前記貫通部材は、その下部に該貫通部材の長さを調整する長さ調整部を有することを特徴とする請求項６記載の積石固定具。
【請求項８】
前記第３係合手段は、前記第１固定部と前記第２固定部とのうち一方に設ける結合突起部と、もう一方に設ける結合孔とであり、前記結合突起部を前記結合孔に挿入した状態で前記第１固定部と前記第２固定部とを相対回転させることにより前記第１固定部と前記第２固定部とが係合することを特徴とする請求項１から請求項７のいずれか１項記載の積石固定具。
【請求項９】
前記結合孔は、前記第１固定部に着脱可能な着脱部材に設けられることを特徴とする請求項８記載の積石固定具。
【請求項１０】
第１固定部及び第２固定部を有し、第１の石材及び第２の石材を含む積石を固定する積石固定具であって、
前記第１の石材に穿設される装着孔が内周面に有する凹部と前記第１固定部とを係合する第１係合手段と、
前記第２の石材に穿設される装着孔が内周面に有する凹部と前記第２固定部とを係合する第２係合手段と
を備えることを特徴とする積石固定具。
【請求項１１】
第１固定部及び第２固定部を有する積石固定具と、
前記第１固定部を収容する装着孔が穿設される第１の石材と、
前記第２固定部を収容する装着孔が穿設される第２の石材と、
前記第１固定部を前記第１の石材の装着孔に係合する第１係合手段と、
前記第２固定部を前記第２の石材の装着孔に係合する第２係合手段と、
前記第１固定部と前記第２固定部とを係合する第３係合手段と
を備えることを特徴とする墓石。
【請求項１２】
前記第１の石材の装着孔は、内周面に凹部を有し、
前記第１係合手段は、前記第１固定部に穿設される凸部材挿通孔を挿通し、前記凹部に係合する凸部材であることを特徴とする請求項１１記載の墓石。
【請求項１３】
前記第２の石材の装着孔は、内周面に凹部を有し、
前記第２係合手段は、前記第２固定部に穿設される凸部材挿通孔を挿通し、前記凹部に係合する凸部材であることを特徴とする請求項１１又は請求項１２記載の墓石。
【請求項１４】
少なくとも１つの前記第２の石材は、貫通孔が穿設され、
前記第２係合手段は、前記貫通孔に挿通し、一端が前記第２固定部に係合し、もう一端がいずれかの前記第２の石材に係合する貫通部材であることを特徴とする請求項１１又は請求項１２記載の墓石。
【請求項１５】
前記第３係合手段は、前記第１固定部と前記第２固定部とのうち一方に設ける結合突起部と、もう一方に設ける結合孔とであり、前記結合突起部を前記結合孔に挿入した状態で前記第１固定部と前記第２固定部とを相対回転させることにより前記第１固定部と前記第２固定部とが係合することを特徴とする請求項１１から請求項１４のいずれか１項記載の墓石。
【発明の詳細な説明】
【技術分野】
【０００１】
本発明は、地震等による倒壊を防ぐ積石固定具及び墓石に関する。
【背景技術】
【０００２】
従来、墓石や鳥居等の積石は、地震等により倒壊することがあった。特に墓石では、大地震が発生すると最上部の竿石が倒壊することが多かった。
そのため、積石を固定する手法として、例えば、特開２００５−０７６１９１号公報（特許文献１）には次のような石積構造物の耐震装置が提案されている。
【０００３】
この耐震装置は、複数個の石材を積重して全体を連結棒で連結一体化してなる石積構造物を、固定部材を用いて基礎に固定する石積構造物の耐震装置であって、最上端の石材の下面部中央に前記連結棒の上端が固定されると共に、その他の石材の中央には、上下方向に貫通する連結孔が設けられており、上下連通した連結孔に挿通せしめられた前記連結棒の下端が、最下端の石材の連結孔の下端で下方に突出せしめられ、該突出した下端に設けられている雄ネジ部にナットが螺合され締め付けられることにより、前記複数個の石材が連結一体化される構成としてある。
【０００４】
しかし、特許文献１の手法では、上下方向に設けるネジ部により石積構造物を固定しているが、縦揺れを伴う大地震では連結棒上端のネジ部が外れてしまい、竿石が倒壊しやすいという問題があった。
【０００５】
また、地震による倒壊を防ぐために、石材を頑強に固定しようとすると、それに応じて設置に手間がかかってしまう。
【特許文献１】特開２００５−０７６１９１号公報
【発明の開示】
【発明が解決しようとする課題】
【０００６】
本発明は、上記問題点に鑑みてなされたものであり、地震等による倒壊を防ぐと共に設置が容易な積石固定具及び墓石を提供することを課題とする。
【課題を解決するための手段】
【０００７】
上記課題を解決するために、本発明の第１の積石固定具は、第１固定部及び第２固定部を有し、第１の石材及び第２の石材を含む積石を固定する積石固定具であって、上記第１の石材と上記第１固定部とを係合する第１係合手段と、上記第２の石材と上記第２固定部とを係合する第２係合手段と、上記第１固定部と上記第２固定部とを係合する第３係合手段とを備える構成としてある。
【０００８】
好ましくは、上記第１係合手段は、上記第１の石材に穿設される装着孔と上記第１固定部とを係合する構成とし、また、上記第１係合手段は、上記第１固定部に穿設される凸部材挿通孔を挿通し、上記装着孔が内周面に有する凹部に係合する凸部材である構成とする。
【０００９】
また、上記第２係合手段は、上記第２の石材に穿設される装着孔と上記第２固定部とを係合する構成とし、また、上記第２係合手段は、上記第２固定部に穿設される凸部材挿通孔を挿通し、上記装着孔が内周面に有する凹部に係合する凸部材である構成とする。
【００１０】
また、上記第２係合手段は、少なくとも１つの上記第２の石材を貫通し、一端が上記第２固定部に係合し、もう一端がいずれかの上記第２の石材に係合する貫通部材である構成とする。上記貫通部材は、その下部に上記貫通部材の長さを調整する長さ調整部を有する構成とするとよい。
【００１１】
また、上記第３係合手段は、上記第１固定部と上記第２固定部とのうち一方に設ける結合突起部と、もう一方に設ける結合孔とであり、上記結合突起部を上記結合孔に挿入した状態で上記第１固定部と上記第２固定部とを相対回転させることにより上記第１固定部と上記第２固定部とが係合する構成とする。また、上記結合孔は、上記第１固定部に着脱可能な着脱部材に設けられる構成とするとよい。
【００１２】
上記課題を解決するために、本発明の第２の積石固定具は、第１固定部及び第２固定部を有し、第１の石材及び第２の石材を含む積石を固定する積石固定具であって、上記第１の石材に穿設される装着孔が内周面に有する凹部と上記第１固定部とを係合する第１係合手段と、上記第２の石材に穿設される装着孔が内周面に有する凹部と上記第２固定部とを係合する第２係合手段とを備える構成としてある。
【００１３】
上記課題を解決するために、本発明の墓石は、第１固定部及び第２固定部を有する積石固定具と、上記第１固定部を収容する装着孔が穿設される第１の石材と、上記第２固定部を収容する装着孔が穿設される第２の石材と、上記第１固定部を上記第１の石材の装着孔に係合する第１係合手段と、上記第２固定部を上記第２の石材の装着孔に係合する第２係合手段と、上記第１固定部と上記第２固定部とを係合する第３係合手段とを備える構成としてある。
【００１４】
好ましくは、上記第１の石材の装着孔は、内周面に凹部を有し、上記第１係合手段は、上記第１固定部に穿設される凸部材挿通孔を挿通し、上記凹部に係合する凸部材である構成とする。
【００１５】
また、上記第２の石材の装着孔は、内周面に凹部を有し、上記第２係合手段は、上記第２固定部に穿設される凸部材挿通孔を挿通し、上記凹部に係合する凸部材である構成、及び／又は、少なくとも１つの上記第２の石材は、貫通孔が穿設され、上記第２係合手段は、上記貫通孔に挿通し、一端が上記第２固定部に係合し、もう一端がいずれかの上記第２の石材に係合する貫通部材である構成とする。
【００１６】
また、上記第３係合手段は、上記第１固定部と上記第２固定部とのうち一方に設ける結合突起部と、もう一方に設ける結合孔とであり、上記結合突起部を上記結合孔に挿入した状態で上記第１固定部と上記第２固定部とを相対回転させることにより上記第１固定部と上記第２固定部とが係合する構成とする。
【発明の効果】
【００１７】
本発明の積石固定具及び墓石によれば、第１の石と第１固定部とを係合する第１係合手段、第２の石と第２固定部とを係合する第２係合手段、第１固定部と第２固定部とを係合する第３係合手段を備えることで、第１の石材と第１固定部とを、及び第２の石材と第２固定部とを、それぞれ頑強に係合しやすくなり、地震による倒壊を防ぐと共に、設置を容易にすることができる。
【発明を実施するための最良の形態】
【００１８】
以下、本発明の実施形態を、図面を参照しつつ説明する。
図１は、本発明の実施形態に係る墓石を示す斜視図である。墓石１００（積石）は、竿石１１０、上台１２０、中台１３０、切出水鉢１４０、香炉１５０、羽目１６１，１６２，１６３、カロート天板１７１、蓋石１７２、親柱１７３、腰石１７４，１７６，１７７、前石１７５等から構成される。最上部の竿石１１０は上台１２０の上部に固着され、上台１２０は中台１３０の上部に固着されている。また、中台１３０の前部には、切出水鉢１４０及び香炉１５０が載置され、中台１３０の側部及び後部には、例えば３つの羽目１６１，１６２，１６３が固着されている。
【００１９】
また、カロート（納骨棺）は、中台１３０の下部に設置されており、カロートの天板であるカロート天板１７１、カロートの前部に設けられ納骨入口となる蓋石１７２、該蓋石１７２の側部に設けられる親柱１７３，１７３、蓋石１７２及び親柱１７３，１７３の下部で地面１８０と同程度の高さに設けられる腰石１７４、該腰石１７４の下部の前石１７５、カロートの側部及び後部の腰石１７６，１７７等から構成されている。なお、墓石１００はあくまで一例であり、本発明に係る積石固定具が固定する積石は上述の墓石１００に限定されない。
【００２０】
図２は、本発明の第１実施形態に係る積石固定具を示す断面図である。積石固定具１０は、第１固定部１１、第２固定部１２、着脱部材１３等から構成されている。例えば円筒状の第１固定部１１は、第１の石材としての竿石１１０の下部に穿設され側面に例えば水平方向の２箇所の凹部１１１ａ，１１１ａを有する第１装着孔１１１に装着され、第１固定部１１の凸部材挿通孔としての例えば２箇所のネジ孔１１ａ，１１ａに挿通する凸部材（第１係合手段）としてのネジ１１ｂ，１１ｂにより凹部１１１ａ，１１１ａに固定されている。
【００２１】
また、第２固定部１２も同様に、第２の石材としての上台１２０の上部に穿設され側面に例えば水平方向の２箇所の凹部１２１ａ，１２１ａを有する第２装着孔１２１に装着され、第２固定部１２の凸部材挿通孔としての例えば２箇所のネジ孔１２ａ，１２ａに挿通する凸部材（第２係合手段）としてのネジ１２ｂ，１２ｂにより凹部１２１ａ，１２１ａに固定されている。
【００２２】
第１固定部１１と第２固定部１２とは、第１固定部１１が内側下部に有する雌ネジ部１１ｃに係合する雄ネジ部１３ｂを有する着脱部材１３の結合孔１３ａ（第３係合手段）に、第２固定部１２の突起部１２ｃ上の支持軸部１２ｄ−１先端に設けられる結合突起部１２ｄ（第３係合手段）を挿入した状態で、第１固定部１１と第２固定部１２とを例えば９０度相対回転させることにより一体化する構成となっている。なお、図３Ａ（上記積石固定具の結合突起部を示す断面図），図３Ｂ（上記積石固定具の結合孔を示す断面図），図３Ｃ（上記結合突起部と上記結合孔とを結合した状態を示す斜視図）に示すように、結合突起部１２ｄ及び結合孔１３ａは、ともに略長方形の断面を有する形状となっている。これら結合突起部１２ｄ及び結合孔１３ａの断面形状は、長方形以外にも、例えば三角形、菱形等の他の形状も考えられる。
【００２３】
また、第１固定部１１と第２固定部１２との当接部分には、平面度を高めるためにそれぞれフランジ部１１ｄ，１２ｅが設けられている。このフランジ部１１ｄ，１２ｅにより生じる竿石１１０と上台１２０との間隙１９０には、ゴム部材やモルタルを例えば竿台１１０の四つ角部分、外周部等に設置するとよい。
【００２４】
本実施形態に係る積石固定具による墓石（積石）の固定を、図２を参照しつつ説明する。
図２に示すように、竿石１１０の下部に例えば水平方向の凹部１１１ａ，１１１ａを有する第１装着孔１１１を穿設し、上台１２０の上部に例えば水平方向の凹部１２１ａ，１２１ａを有する第２装着孔１２１を穿設する。そして、積石固定具１０の第１固定部１１と第２固定部１２とを分離させた状態で、第１固定部１１を第１装着孔１１１に、第２固定部１２を第２装着孔１２１に挿入し、ネジ１１ｂ，１１ｂ，１２ｂ，１２ｂを凹部１１１ａ，１１１ａ，１２１ａ，１２１ａにそれぞれ第１固定部１１、第２固定部１２の内部から係合させる。この際、ネジ１１ｂ，１１ｂ，１２ｂ，１２ｂが太いほど固定が頑強になる。
【００２５】
次に、第１固定部１１の雌ネジ部１１ｃと着脱部材１３の雄ネジ部１１ｃとを係合し、該着脱部材１３に穿設される結合孔１３ａに第２固定部１２の結合突起部１２ｄを挿入した状態で第１固定部１１と第２固定部１２とを所定角度相対回転させることにより第１固定部１１と第２固定部１２とを一体化させ、竿石１１０と上台１２０とを固定する。このようにして、最も倒壊しやすい竿石１１０が上台１２０に頑強に固定される。
【００２６】
なお、第１係合手段（ネジ１１ｂ，１１ｂ）、第２係合手段（ネジ１２ｂ，１２ｂ）及び第３係合手段（結合突起部１２ｄ及び結合孔１３ａ）は上述したものに限定されず、第１係合手段及び第２係合手段には例えば棒状部材等を用いることや、第１固定部１１や第２固定部１２に設ける凹部を第１装着孔１１１や第２装着孔１２１に設ける凸部に係合させることも考えられる。また、第３係合手段は例えば結合突起部（１２ｄ）を第２固定部１２ではなく第１固定部１１に、着脱部材１３（結合孔１３ａ）を第１固定部１１ではなく第２固定部１２に係合することも考えられる。
【００２７】
以上のように、第１実施形態によれば、竿石１１０と第１固定部１１とを係合する第１係合手段（ネジ１１ｂ，１１ｂ）、上台１２０と第２固定部１２とを係合する第２係合手段（ネジ１２ｂ，１２ｂ）、第１固定部１１と第２固定部１２とを係合する第３係合手段（結合突起部１２ｄ、結合孔１３ａ）を備えることで、竿石１１０と第１固定部１１とを、及び上台１２０と第２固定部１２とをそれぞれ頑強に係合しやすくなり、地震による倒壊を防ぐと共に、設置を容易にすることができる。
【００２８】
また、結合孔１３ａを有する着脱部材１３を例えば第１固定部１１に着脱可能とすることにより、ネジ１１ｂ，１１ｂ（第１係合手段）を第１固定部１１の内部から、ネジ１２ｂ，１２ｂ（第２係合手段）を第２固定部１２の内部から、それぞれ係合することができ、より頑強にかつ容易に固定することができる。
【００２９】
さらに、第１装着孔１１１及び第２装着孔１２１の凹部１１１ａ，１２１ａを水平方向に設け、ネジ１１ｂ，１１ｂ（第１係合手段）及びネジ１２ｂ，１２ｂ（第２係合手段）を係合することにより、地震等の縦揺れにも倒壊しなくなり、第１固定具１１と竿石１１０との間、及び第２固定具１２と上台１２０との間にモルタル等を流し込む必要がなく、設置作業が容易になる。
【００３０】
図４は、本発明の第２実施形態に係る積石固定具を示す断面図である。本実施形態は、第２係合手段を除いて上記第１実施形態と略同様であるため、省略しつつ説明する。積石固定具２０は、第１固定部２１、第２固定部２２、着脱部材２３、貫通部材２４（第２係合手段）等から構成されている。例えば円筒状の第１固定部２１は、第１の石材としての竿石１１０の下部に穿設され側面に例えば水平方向の２箇所の凹部１１１ａ，１１１ａを有する第１装着孔１１１に装着され、第１固定部２１の凸部材挿通孔としての例えば２箇所のネジ孔２１ａ，２１ａに挿通する凸部材（第１係合手段）としてのネジ２１ｂ，２１ｂにより凹部１１１ａ，１１１ａに固定されている。
【００３１】
また、第２固定部２２は、その下部に有するネジ孔２２ａに係合する貫通部材２４のネジ部２４ａにより貫通部材２４と係合している。貫通部材２４は、図４及び図５（上記墓石を固定する上記積石固定具を示す部分断面図）に示すように、少なくとも１つの第２の石材としての上台１２０，中台１３０，カロート天板１７１に穿設される貫通孔１２２，１３１，１７１ａを挿通し、カロート天板１７１の下部に貫通部材２４の長さ調整部としてのボルト２４ｂ，蝶ナット２４ｃ，ナットプレート２４ｄ，ネジ孔２４ｅにより固定されている。なお、カロート１７０内の納骨棚板１７０ａへの納骨を妨げないように、カロート天板１７１の下部には固定孔１７１ｂが穿設されており、貫通部材２４はこの固定孔１７１ｂ内で固定されている。
【００３２】
第１固定部２１と第２固定部２２とは、第１固定部２１が内側下部に有する雌ネジ部２１ｃに係合する雄ネジ部２３ｂを有する着脱部材２３の結合孔２３ａ（第３係合手段）に、第２固定部２２の突起部２２ｃ上の支持軸部２２ｄ−１先端に設けられる結合突起部２２ｄ（第３係合手段）を挿入した状態で、第１固定部２１と第２固定部２２とを例えば９０度相対回転させることにより一体化する構成となっている。なお、上記第１実施形態と同様に、結合突起部２２ｄ及び結合孔２３ａは、ともに略長方形の断面を有する形状となっている。これら結合突起部２２ｄ及び結合孔２３ａの断面形状は、長方形以外にも、例えば三角形、菱形等の他の形状も考えられる。
【００３３】
また、第１固定部２１と第２固定部２２との当接部分には、平面度を高めるためにそれぞれフランジ部２１ｄ，２２ｅが設けられている。このフランジ部２１ｄ，２２ｅにより生じる竿石１１０と上台１２０との間隙１９０には、ゴム部材やモルタルを例えば竿台１１０の四つ角部分、外周部等に設置するとよい。
【００３４】
なお、第２固定部２２のフランジ部２２ｅの取付け部分下部には、第２固定部２２の回転防止のため、例えば２箇所の回転防止突起部２２ｆを設けることが望ましい。その場合には、貫通孔１２２には、この回転防止突起部２２ｆに係合する回転防止凹部１２２ａを設ける。
【００３５】
本実施形態に係る積石固定具による墓石（積石）の固定を図４及び図５を参照しつつ説明する。
図４及び図５に示すように、竿石１１０の下部に例えば水平方向の凹部１１１ａ，１１１ａを有する第１装着孔１１１を穿設し、上台１２０，中台１３０，カロート天板１７１に貫通孔１２２，１３１，１７１ａを穿設する。そして、ネジ１１ｂ，１１ｂを第１固定部２１の内部から凹部１１１ａ，１１１ａに係合させる。また、第２固定部２２のネジ孔２２ａに貫通部材２４のネジ部２４ａを係合する。そして、第１固定部２１の雌ネジ部２１ｃと着脱部材２３の雄ネジ部２３ｃとを係合し、第２固定部２２及び貫通部材２４を貫通孔１２２，１３１、１７１ａに挿通し、着脱部材２３に穿設される結合孔２３ａに第２固定部２２の結合突起部２２ｄを挿入した状態で第１固定部２１と第２固定部２２とを所定角度相対回転させることにより第１固定部１１と第２固定部１２とを一体化させる。
【００３６】
なお、第２固定部２２のフランジ部２２ｅの取付け部分下部には、第２固定部２２の回転防止のため、例えば２箇所の回転防止突起部２２ｆを設ける。そして、回転防止突起部２２ｆに係合する回転防止凹部１２２ａを貫通孔１２２に設ける。
【００３７】
この際、竿石１１０の水平断面が長方形等で墓石１００の設置間隔が狭いときには、第１固定部２１（竿石１１０）と第２固定部２２（上台１２０）とを所定角度相対回転させることが困難な場合がある。その場合には、回転防止突起部２２ｆ及び回転防止凹部１２２ａを設けず、間隙１９０からフランジ部２２ｅを回転させることにより第２固定部２２を回転させるとよい。
【００３８】
次に、図５に示す蓋石１７２を外し、カロート１７０（納骨棺）の中から貫通部材２４のネジ孔２４ｅに蝶ナット２４ｃ及びナットプレート２４ｄを取り付けたボルト２４ｂを係合させ、カロート天板１７１の下部の固定孔１７１ｂ内で貫通部材２４を固定する。これら長さ調整部により、固定する墓石１００ごとに貫通部材２４の長さを変えられるため、墓石１００毎に長さの合った貫通部材２４を用意する必要がなくなる。このようにして、墓石１００が頑強に固定される。
【００３９】
なお、第１係合手段（ネジ２１ｂ，２１ｂ）、第２係合手段（貫通部材２４）及び第３係合手段（結合突起部２２ｄ及び結合孔２３ａ）やこれらの係合の順序は上述したものに限定されず、例えば、貫通部材２４をカロート天板１７１ではなく腰石１７７等の他の石材に固定してもよい。また、上記第１実施形態に係る第２係合手段（ネジ１２ｂ，１２ｂ）によりさらに第２固定部２２と上台１２０とを係合させてもよい。
【００４０】
以上のように、第２実施形態によれば、上記第１実施形態の効果に加えて、第２固定具２２とカロート天板１７１とを固定する貫通部材２４（第２係合手段）を備えることで、竿石１１０からカロート天板１７１までを頑強に固定でき、地震等による倒壊をより防止することができる。
【００４１】
また、貫通部材２４がその下部に該貫通部材２４の長さを調整する長さ調整部としてのボルト２４ｂ、蝶ナット２４ｃ、ナットプレート２４ｄ及びネジ孔２４ｅを備えることで、固定する墓石１００ごとに貫通部材２４の長さを変えられるため、墓石１００毎に長さの合った貫通部材２４を用意する必要がなくなる。
【００４２】
なお、上記第１実施形態及び第２実施形態では、積石を墓石として説明したが、本発明に係る積石固定具は、鳥居等の積石も同様の手法で固定することが可能である。
【図面の簡単な説明】
【００４３】
【図１】本発明の実施形態に係る墓石を示す斜視図である。
【図２】本発明の第１実施形態に係る積石固定具を示す断面図である。
【図３Ａ】上記積石固定具の結合突起部を示す断面図である
【図３Ｂ】上記積石固定具の結合孔を示す断面図である。
【図３Ｃ】上記結合突起部と上記結合孔とを結合した状態を示す斜視図である。
【図４】本発明の第２実施形態に係る積石固定具を示す断面図である。
【図５】上記墓石を固定する上記積石固定具を示す部分断面図である。
【符号の説明】
【００４４】
１０      積石固定具
１１      第１固定部
１１ａ      ネジ孔
１１ｂ      ネジ
１１ｃ      雌ネジ部
１１ｄ      フランジ部
１２      第２固定部
１２ａ      ネジ孔
１２ｂ      ネジ
１２ｃ      突起部
１２ｄ      結合突起部
１２ｄ−１      支持軸部
１２ｅ      フランジ部
１３      着脱部材
１３ａ      結合孔
１３ｂ      雄ネジ部
２０      積石固定具
２１      第１固定部
２１ａ      ネジ孔
２１ｂ      ネジ
２１ｃ      雌ネジ部
２１ｄ      フランジ部
２２      第２固定部
２２ａ      ネジ孔
２２ｃ      突起部
２２ｄ      結合突起部
２２ｄ−１      支持軸部
２２ｅ      フランジ部
２２ｆ      回転防止突起部
２３      着脱部材
２３ａ      結合孔
２３ｂ      雄ネジ部
２４      貫通部材
２４ａ      ネジ部
２４ｂ      ボルト
２４ｃ      蝶ナット
２４ｄ      ナットプレート
２４ｅ      ネジ孔
１００      墓石
１１０      竿石
１１１      第１装着孔
１１１ａ      凹部
１２０      上台
１２１      第２装着孔
１２１ａ      凹部
１２２      貫通孔
１２２ａ      回転防止凹部
１３０      中台
１３１      貫通孔
１４０      切出水鉢
１５０      香炉
１６１      羽目
１６２      羽目
１６３      羽目
１７０      カロート（納骨棺）
１７０ａ      納骨棚板
１７１      カロート天板
１７１ａ      貫通孔
１７１ｂ      固定孔
１７２      蓋石
１７３      親柱
１７４      腰石
１７５      前石
１７６      腰石
１７７      腰石
１８０      地面
１９０      間隙
【図１】
2007016384.tif 000003
【図２】
2007016384.tif 000004
【図３Ａ】
2007016384.tif 000005
【図３Ｂ】
2007016384.tif 000006
【図３Ｃ】
2007016384.tif 000007
【図４】
2007016384.tif 000008
【図５】
2007016384.tif 000009